(57)【要約】      （修正有）【課題】試料観察面の帯電を簡易な手段で防止でき、生体試料等において、乾燥後も収縮等の変形を抑制でき、さらに収縮痕へのイオン液体の部分的な残留により試料本来の像が妨げられることを抑制できる電子顕微鏡による試料観察用の液状媒体とそれを用いた試料観察方法を提供する。【解決手段】水への溶解度が550g/100g water以上または10重量%水溶液での浸透圧が0.7 Osmol/kg以上のイオン液体、特に下記式（I）：2011137807.tif 000011（式中、R1〜R4は炭素数1〜5のアルキル基、または−R5−Aで示される水溶性官能基（R5は炭素数1〜5のアルキレン基、Aは水酸基等を示す。）を示し、その少なくとも１つは水溶性官能基である。X-は、アルキルスルホン酸イオン等のアニオンを示す。）で表されるイオン液体を必須成分として含有することを特徴とする。【選択図】なし【特許請求の範囲】
【請求項１】
電子顕微鏡で観察する試料に適用し、試料の少なくとも一部に存在させた状態で試料を電子顕微鏡で観察するための液状媒体であって、水への溶解度が550g/100g water以上のイオン液体を必須成分として含有することを特徴とする電子顕微鏡による試料観察用の液状媒体。
【請求項２】
電子顕微鏡で観察する試料に適用し、試料の少なくとも一部に存在させた状態で試料を電子顕微鏡で観察するための液状媒体であって、10重量%水溶液での浸透圧が0.7 Osmol/kg以上であるイオン液体を必須成分として含有することを特徴とする電子顕微鏡による試料観察用の液状媒体。
【請求項３】
イオン液体が、下記式（I）：
【化１】
2011137807.tif 000010
（式中、R1、R2、R3、R4はそれぞれ独立に炭素数1〜5の直鎖もしくは分岐のアルキル基、または−R5−Aで示される水溶性官能基を示し（R5は炭素数1〜5の直鎖もしくは分岐のアルキレン基を示し、Aは水酸基、カルボキシル基、−OR6（R6は炭素数1〜5の直鎖もしくは分岐のアルキル基を示す。）、または−COR7（R7は炭素数1〜5の直鎖もしくは分岐のアルキル基を示す。）を示す。）、R1、R2、R3、R4のうち少なくとも１つは水溶性官能基である。X-は、アルキルスルホン酸イオン、アリールスルホン酸イオン、アルキル硫酸イオン、およびテトラフルオロホウ酸イオンから選ばれるいずれかのアニオンを示す。）で表されるイオン液体であることを特徴とする請求項１または２に記載の電子顕微鏡による試料観察用の液状媒体。
【請求項４】
式（I）のR1、R2、R3、R4のアルキル基が炭素数1〜3の直鎖もしくは分岐のアルキル基であることを特徴とする請求項３に記載の電子顕微鏡による試料観察用の液状媒体。
【請求項５】
式（I）のR5が炭素数1〜3の直鎖もしくは分岐のアルキレン基であることを特徴とする請求項３または４に記載の電子顕微鏡による試料観察用の液状媒体。
【請求項６】
式（I）の水溶性官能基のうち少なくとも１つのAが水酸基であることを特徴とする請求項３から５のいずれかに記載の電子顕微鏡による試料観察用の液状媒体。
【請求項７】
式（I）の水溶性官能基のうち少なくとも１つのAがカルボキシル基であることを特徴とする請求項３から５のいずれかに記載の電子顕微鏡による試料観察用の液状媒体。
【請求項８】
式（I）の水溶性官能基のうち少なくとも１つのAが、R6が炭素数1〜3の直鎖もしくは分岐のアルキル基の−OR6であることを特徴とする請求項３から５のいずれかに記載の電子顕微鏡による試料観察用の液状媒体。
【請求項９】
式（I）のX-が、炭素数1〜3の直鎖または分岐のアルキル基を有するアルキルスルホン酸イオン、p-トルエンスルホン酸イオン、炭素数1〜3の直鎖または分岐のアルキル基を有するアルキル硫酸イオン、またはテトラフルオロホウ酸イオンであることを特徴とする請求項３から８のいずれかに記載の電子顕微鏡による試料観察用の液状媒体。
【請求項１０】
細胞内の水を置換できることを特徴とする請求項１から９のいずれかに記載の電子顕微鏡による試料観察用の液状媒体。
【請求項１１】
電子顕微鏡による試料観察方法であって、請求項１から１０のいずれかに記載の液状媒体を試料に適用する工程と、この液状媒体を適用した試料に電子を照射し、照射された電子による2次電子、反射電子または透過電子を検出して試料の像を得る工程とを含むことを特徴とする電子顕微鏡による試料観察方法。
【請求項１２】
観察対象の試料が生体試料であることを特徴とする請求項１１に記載の電子顕微鏡による試料観察方法。
【請求項１３】
観察対象の試料が水含有生体試料であることを特徴とする請求項１１または１２に記載の電子顕微鏡による試料観察方法。
【請求項１４】
水含有生体試料が細胞膜を含むことを特徴とする請求項１３に記載の電子顕微鏡による試料観察方法。
【発明の詳細な説明】
【技術分野】
【０００１】
本発明は、走査型電子顕微鏡、透過型電子顕微鏡等の電子顕微鏡による試料観察に用いられる、イオン液体を用いた液状媒体とそれを用いた電子顕微鏡による試料観察方法に関するものである。
【背景技術】
【０００２】
従来、試料の微細構造等を観察する手段として、走査型電子顕微鏡（Scanning Electron Microscope：SEM）や透過型電子顕微鏡（Transmission Electron Microscope：TEM）等の電子顕微鏡が用いられている。
【０００３】
SEMは観察対象の試料に電子線を当て、そこから放出した2次電子もしくは反射電子から得られる像を観察する顕微鏡であり、試料に電子線を当てる位置を少しずつずらして走査しながら電子を検出器に集め、コンピュータを用いて2次元の像を表示するものである。主に、試料表面の形状や凹凸の様子、比較的表面に近い部分の内部構造を観察するのに用いられている。
【０００４】
TEMは観察対象に電子線を当て、それを透過してきた電子を拡大して観察する顕微鏡であり、試料の構造や成分の違いにより電子線を透過させる程度が異なることから場所により透過してきた電子密度が変化し、これが顕微鏡像となる。例えば、電磁コイルを用いて透過電子線を拡大し、電子線により光る蛍光板に当てて観察したり、フィルムやCCDカメラで写真を撮影したりすることが行われている。
【０００５】
SEM等の電子顕微鏡による観察対象の試料には、導電性の試料、絶縁性の試料、水分を含有する生体試料等、あらゆるものがあるが、試料が絶縁性のものである場合、SEMによる観察時に電子線を当て続けるとその表面が帯電してしまい、帯電した電荷を放出することができなくなるため、反射電子のパターンが乱れる等により、試料の像を正確に観察することができないという問題点があった。
【０００６】
このような試料表面の帯電を防止するため、従来、試料表面を予めカーボン、アルミニウム、金、白金等の導電性を持つ物質で薄くコーティングしておく方法、2次電子放出利得が1となるような加速電圧で１次電子を試料表面に照射するSEMを用いる方法、試料にイオンシャワーを照射し、電子により負に帯電した試料表面をイオンシャワーにより中和させる方法等が提案されている。
【０００７】
しかしながら、これらの方法では、試料の帯電を防止するための工程や装置が複雑となる場合や、帯電防止が不十分となる場合や、試料が損傷する場合がある等の問題点があった。
【０００８】
また、特許文献１には、走査型電子顕微鏡による測定において、第4級アンモニウム塩とアルコールを含む溶液を観察試料に塗布し、その表面に第4級アンモニウム塩の薄膜を形成することによって、帯電を抑制することが提案されている。
【０００９】
しかしながら、観察試料が生体試料、例えば水含有生体試料である場合、SEM、TEM等の電子顕微鏡による生体試料の観察は、真空下での観察であるため生体試料に含まれる水分を完全に蒸発させ、生体試料を乾燥させた状態で行う必要があるが、上記のような技術により帯電を抑制することができても乾燥により生体試料の形状が崩れてしまい生体試料の本来の形状が観察できなくなる場合があった。そのため、凍結乾燥等により生体試料の本来の形状をできるだけ維持したまま生体試料を乾燥させる技術等が提案されているが、生体試料の本来の形状を完全に維持することは困難であり、また工程が複雑になる等の問題点があった。
【００１０】
また、電子顕微鏡による観察試料の帯電を抑制する技術として、イオン液体を試料に含浸、塗布等により適用することが提案されている（特許文献２、非特許文献１、２参照）。これらの文献には、テトラフルオロホウ酸1-アルキル-3-メチルイミダゾリウム等のイミダゾリウム系カチオンを用いたイオン液体、トリメチル-n-プロピルアンモニウムビス（トリフルオロメタンスルホニル）イミド等のアルキル基置換4級アンモニウムカチオンを用いたイオン液体等により試料を処理しSEM観察を行った結果が示されている。そして、水分含有の試料であっても乾燥後にイオン液体が残存することで一定の形状保持が可能である旨が記載されている。
【先行技術文献】
【特許文献】
【００１１】
【特許文献１】特開平６−１２２８６９号公報
【特許文献２】再表２００７−０８３７５６号公報
【特許文献３】特開２００９−２６６７４１号公報
【非特許文献】
【００１２】
【非特許文献１】Chem. Lett. 35 (2006) 600-601
【非特許文献２】Electrochimica Acta 53 (2008) 6228-6234
【発明の概要】
【発明が解決しようとする課題】
【００１３】
しかしながら、生体試料、特に水含有生体試料を電子顕微鏡により観察する場合、試料に適用するイオン液体が疎水性であるなど水溶性が低くなると生体試料との親和性が阻害され、試料の像を高精度に得ることが困難となる。また、ある程度の水溶性を有していても分子サイズが大きくなるとイオン液体の生体試料への浸透性、例えば細胞膜内部への浸透性等が低下し、生体試料内の水とイオン液体との置換が良好にできず、形状保持が難しく、同様に試料の像を高精度に得ることが困難となる。例えば、特許文献２、非特許文献１、２において主に用いられているイミダゾリウム系カチオンを用いたイオン液体は、イミダゾリウム系カチオンの構造が剛直で立体的に嵩高く、一般に高い水溶性と分子サイズが小さく且つ柔軟な分子構造とを両立することは難しい。
【００１４】
そして特許文献２には、水含有生体試料のSEM像を観察する場合に、親水性のイオン液体、例えばテトラフルオロホウ酸1-アルキル-3-メチルイミダゾリウム等のイミダゾリウム系カチオンを用いたものが適していることが記載され、実際にSEM像を観察した例としてはテトラフルオロホウ酸1-ブチル-3-メチルイミダゾリウムを用いてワカメを観察した結果が示されている。
【００１５】
しかしながら、本発明者らの知見によれば、第１に、特許文献２に例示されたような親水性のイオン液体で水含有生体試料を処理した場合、未処理の場合に比べると乾燥後の試料は一定の形状を保持するものの、収縮変形が大きく、処理前の本来のバルク形状および微細構造を十分に保持できなくなる。
【００１６】
具体的には、これらのイオン液体を試料に含浸、塗布等により適用した際、イオン液体が試料（細胞）中の水分を脱水し、試料の柔軟性が失われ、硬直化する現象が見られ、同時に収縮して変形する。そのため、処理前の試料の形状を正確に反映したSEM像が得られなくなる。
【００１７】
第２に、SEM像において試料表面に生成した多くの収縮した痕にイオン液体が過剰に残留したことによると考えられる黒い部分が多く現れ、試料の微細構造の正確な像を妨げるといった現象が見られる。
【００１８】
これらの第１、第２の現象は、テトラフルオロホウ酸1-ブチル-3-メチルイミダゾリウムが、生体試料へ浸透、例えば細胞膜内部へ浸透し、水含有生体試料中の水とイオン液体が良好に置換していないことが影響しているとも推測される。
【００１９】
このように、特許文献２には実施例を中心としてイオン液体として包括的な例示がされているものの、生体試料、特に水含有生体試料を観察する場合において、バルク形状および微細構造の変形を抑制し、そして収縮痕へのイオン液体の残留によって試料本来の像が妨げられることを抑制する技術については未だ開示されていない。
【００２０】
なお、特許文献３には、TEM観察に際して、マイクログリッドやメッシュ等にイオン液体を保持してそこに試料を投入し、イオン液体中に試料を浮かして観察する技術が記載されているが、イオン液体として具体的に例示されているのはテトラフルオロホウ酸1-ブチル-3-メチルイミダゾリウムのみであり、上記と同様に、生体試料、特に水含有生体試料を観察する場合において、バルク形状および微細構造の変形を抑制し、そして収縮痕へのイオン液体の残留によって試料本来の像が妨げられることを抑制する技術については未だ開示されていない。
【００２１】
本発明は、以上の通りの事情に鑑みてなされたものであり、試料を電子顕微鏡により観察するに際し、試料観察面の帯電を簡易な手段で防止することができ、生体試料等、特に水含有生体試料において、乾燥後も試料のバルク形状および微細構造を保持して収縮等の変形を抑制することができ、さらに収縮痕へのイオン液体の部分的な残留により試料本来の像が妨げられることを抑制し、試料の像を高精度に得ることができる電子顕微鏡による試料観察用の液状媒体とそれを用いた電子顕微鏡による試料観察方法を提供することを課題としている。
【課題を解決するための手段】
【００２２】
本発明者らは、上記の課題に鑑みて鋭意検討を行った。その結果、イオン液体として従来技術には開示されていない後述の特定のものを用いた場合に、形状保持作用とイオン液体の微細構造への均一な浸透において従来技術とは明らかに相違するものがあることを見出した。この明らかな相違は、イオン液体の水溶性および分子構造（分子サイズ、柔軟性）に基づく浸透性が影響していると考えられ、特に生体試料においてはこの特定のイオン液体が試料の細胞膜を良好に通過し細胞内部の水との置換が促進されることが影響していると考えられる。そして目視、触覚での現象においても、従来技術のイオン液体を試料に含浸または塗布した後、乾燥する前においても、イオン液体が試料（細胞）中の水分を脱水し、試料の柔軟性が失われ、硬直化する現象が見られ、同時に収縮して変形するのに対し、後述の特定のイオン液体では、試料に適用した後、乾燥しても水分を含有していたときのような質感を有しており、収縮も非常に少ない。このようにして生体試料等の水含有生体試料の電子顕微鏡による観察に特に適したイオン液体を見出し、本発明を完成するに至った。
【００２３】
本発明は、上記の課題を解決するために、以下のことを特徴としている。
【００２４】
第１：電子顕微鏡で観察する試料に適用し、試料の少なくとも一部に存在させた状態で試料を電子顕微鏡で観察するための液状媒体であって、水への溶解度が550g/100g water以上のイオン液体を必須成分として含有することを特徴とする電子顕微鏡による試料観察用の液状媒体。
【００２５】
第２：電子顕微鏡で観察する試料に適用し、試料の少なくとも一部に存在させた状態で試料を電子顕微鏡で観察するための液状媒体であって、10重量%水溶液での浸透圧が0.7 Osmol/kg以上であるイオン液体を必須成分として含有することを特徴とする電子顕微鏡による試料観察用の液状媒体。
【００２６】
第３：イオン液体が、下記式（I）：
【００２７】
【化１】
2011137807.tif 000002
【００２８】
（式中、R1、R2、R3、R4はそれぞれ独立に炭素数1〜5の直鎖もしくは分岐のアルキル基、または−R5−Aで示される水溶性官能基を示し（R5は炭素数1〜5の直鎖もしくは分岐のアルキレン基を示し、Aは水酸基、カルボキシル基、−OR6（R6は炭素数1〜5の直鎖もしくは分岐のアルキル基を示す。）、または−COR7（R7は炭素数1〜5の直鎖もしくは分岐のアルキル基を示す。）を示す。）、R1、R2、R3、R4のうち少なくとも１つは水溶性官能基である。X-は、アルキルスルホン酸イオン、アリールスルホン酸イオン、アルキル硫酸イオン、およびテトラフルオロホウ酸イオンから選ばれるいずれかのアニオンを示す。）で表されるイオン液体であることを特徴とする上記第１または第２の電子顕微鏡による試料観察用の液状媒体。
【００２９】
第４：式（I）のR1、R2、R3、R4のアルキル基が炭素数1〜3の直鎖もしくは分岐のアルキル基であることを特徴とする上記第３の電子顕微鏡による試料観察用の液状媒体。
【００３０】
第５：式（I）のR5が炭素数1〜3の直鎖もしくは分岐のアルキレン基であることを特徴とする上記第３または第４の電子顕微鏡による試料観察用の液状媒体。
【００３１】
第６：式（I）の水溶性官能基のうち少なくとも１つのAが水酸基であることを特徴とする上記第３から第５のいずれかの電子顕微鏡による試料観察用の液状媒体。
【００３２】
第７：式（I）の水溶性官能基のうち少なくとも１つのAがカルボキシル基であることを特徴とする上記第３から第５のいずれかの電子顕微鏡による試料観察用の液状媒体。
【００３３】
第８：式（I）の水溶性官能基のうち少なくとも１つのAが、R6が炭素数1〜3の直鎖もしくは分岐のアルキル基の−OR6であることを特徴とする上記第３から第５のいずれかの電子顕微鏡による試料観察用の液状媒体。
【００３４】
第９：式（I）のX-が炭素数1〜3の直鎖または分岐のアルキル基を有するアルキルスルホン酸イオン、p-トルエンスルホン酸イオン、炭素数1〜3の直鎖または分岐のアルキル基を有するアルキル硫酸イオン、またはテトラフルオロホウ酸イオンであることを特徴とする上記第３から第８のいずれかの電子顕微鏡による試料観察用の液状媒体。
【００３５】
第１０：細胞内の水を置換できることを特徴とする上記第１から第９のいずれかの電子顕微鏡による試料観察用の液状媒体。
【００３６】
第１１：電子顕微鏡による試料観察方法であって、上記第１から第１０のいずれかの液状媒体を試料に適用する工程と、この液状媒体を適用した試料に電子を照射し、照射された電子による2次電子、反射電子または透過電子を検出して試料の像を得る工程とを含むことを特徴とする電子顕微鏡による試料観察方法。
【００３７】
第１２：観察対象の試料が生体試料であることを特徴とする上記第１１の電子顕微鏡による試料観察方法。
【００３８】
第１３：観察対象の試料が水含有生体試料であることを特徴とする上記第１１または第１２の電子顕微鏡による試料観察方法。
【００３９】
第１４：水含有生体試料が細胞膜を含むことを特徴とする上記第１３の電子顕微鏡による試料観察方法。
【発明の効果】
【００４０】
本発明によれば、水への溶解度が550g/100g water以上または水溶性と密接に関係する浸透圧が10重量%水溶液で0.7 Osmol/kg以上のイオン液体、特に式（I）で表されるイオン液体を用いている。この式（I）のイオン液体は、親水性を高めるために、水溶性の官能基である−R5−Aをカチオンに導入し、また、水溶性のアニオンとして、アルキルスルホン酸イオン、アリールスルホン酸イオン、およびアルキル硫酸イオン等を用い、さらに、カチオンおよびアニオンの全体としての分子サイズをできるだけ小さくして、試料への浸透性を高めたことを特徴としている。そしてこのようなイオン液体を用いることで、試料を電子顕微鏡により観察するに際し、試料観察面の帯電を簡易な手段で防止することができるとともに、生体試料等、特に水含有生体試料において、乾燥後も試料のバルク形状および微細構造を保持して収縮等の変形を抑制することができ、さらに収縮痕へのイオン液体の部分的な残留により試料本来の像が妨げられることを抑制し、試料の像を高精度に得ることができる。
【図面の簡単な説明】
【００４１】
【図１】実施例１〜５、比較例１〜３における乾燥後の試料（ワカメ、ほうれん草の茎）の全体を撮影した写真である。
【図２】実施例６〜１０、比較例４における試料（ワカメ）のSEM写真である（600倍）。
【図３】実施例１１、比較例５における試料（ほうれん草の茎）の断面のSEM写真である（30倍）。
【図４】実施例１２〜１５、比較例６における試料（ワカメ）のSEM写真である（500倍）。
【図５】実施例１６における試料（綿布）のSEM写真である（200倍、800倍）。
【図６】実施例１７、比較例７における試料（毛髪）のSEM写真である（1000倍）。
【図７】実施例１８、比較例８における試料（マウスの骨）のSEM写真である（20000倍）。
【図８】実施例１９、比較例９における試料（赤血球）のSEM写真である（実施例１９：110000倍、比較例９：4000倍）。
【図９】実施例２０における試料（ミュータンス菌）のSEM写真である（15000倍）。
【図１０】実施例２１における試料（ミュータンス菌）のSEM写真である（5000倍）。
【発明を実施するための形態】
【００４２】
以下、本発明を詳細に説明する。
【００４３】
本発明において、イオン液体としては、常温（25℃）での水への溶解度が、550g/100g water以上、より好ましくは900g/100g water以上のものが用いられる。あるいは、10重量%水溶液での浸透圧が0.7 Osmol/kg以上、より好ましくは0.9 Osmol/kg以上のものが用いられる。これらの中でも特に、上記式（I）で表されるイオン液体が好ましく用いられる。このイオン液体は、親水性を高めるために、水溶性の官能基である−R5−Aをカチオンに導入し、また、水溶性のアニオンとして、アルキルスルホン酸イオン、アリールスルホン酸イオン、およびアルキル硫酸イオン等を用い、さらに、カチオンおよびアニオンの全体としての分子サイズをできるだけ小さく且つ柔軟な構造にして、試料への浸透性を高めたことを特徴としている。
【００４４】
式（I）において、R1、R2、R3、R4はそれぞれ独立に炭素数1〜5の直鎖もしくは分岐のアルキル基、または−R5−Aで示される水溶性官能基を示す（R5は炭素数1〜5の直鎖もしくは分岐のアルキレン基を示し、Aは水酸基、カルボキシル基、−OR6（R6は炭素数1〜5の直鎖もしくは分岐のアルキル基を示す。）、または−COR7（R7は炭素数1〜5の直鎖もしくは分岐のアルキル基を示す。）を示す。）。
【００４５】
R1〜R4の炭素数1〜5の直鎖もしくは分岐のアルキル基としては、例えば、メチル基、エチル基、n-プロピル基、iso-プロピル基、n-ブチル基、iso-ブチル基、sec-ブチル基、tert-ブチル基、n-ペンチル基、2-ペンチル基、3-ペンチル基、iso-ペンチル基、2-メチルブチル基、3-メチルブチル基、neo-ペンチル基が挙げられる。中でも、炭素数1〜3のものが好ましく、メチル基、エチル基がより好ましい。
【００４６】
R1〜R4の水溶性官能基において、R5の炭素数1〜5のアルキレン基としては、例えば、メチレン基、エチレン基、トリメチレン基、プロピレン基、テトラメチレン基、メチルトリメチレン基、ペンタメチレン基等が挙げられる。中でも、炭素数1〜3のものが好ましく、メチレン基、エチレン基がより好ましい。
【００４７】
R6、R7のアルキル基としては、例えば、上記にR1〜R4として例示したアルキル基が挙げられる。中でも、炭素数1〜3のものが好ましく、メチル基、エチル基がより好ましい。
【００４８】
水溶性官能基の−R5−Aにより、イオン液体に水溶性が付与される。また、R1〜R4のアルキル基や水溶性官能基のアルキレン基R5、あるいはアルキル基R6、R7の炭素数が多くなり、分子サイズが大きい、もしくは剛直な構造になると、試料に適用した際に、試料への浸透性が低下し、試料のバルク形状および微細構造の収縮等の変形が大きくなる場合がある。
【００４９】
イオン液体に水溶性を付与し、そして水溶性に密接に関係する浸透性を高めることにより、収縮等の変形を抑制する等の本発明の効果を得る点からは、式（I）の水溶性官能基のうち少なくとも１つのAが、好ましくは水酸基、カルボキシル基、またはR6が炭素数1〜3の直鎖もしくは分岐のアルキル基の−OR6である。特に浸透圧を高める点からは、式（I）の水溶性官能基のうち少なくとも１つのAが、好ましくは水酸基またはカルボキシル基である。
【００５０】
式（I）のイオン液体における好ましい態様の１つでは、R1〜R4のうち少なくとも1つが、R5が炭素数1〜3、より好ましくは1〜2の直鎖アルキレン基の水溶性官能基であり、R1〜R4のうち他のものが炭素数1〜3、より好ましくは1〜2の直鎖アルキル基である。
【００５１】
X-は、アルキルスルホン酸イオン、アリールスルホン酸イオン、アルキル硫酸イオン、およびテトラフルオロホウ酸イオンから選ばれるいずれかのアニオンを示す。X-としてこのようなアニオンを用いることで、イオン液体としての形態や、イオン液体への水溶性を付与することができ、また試料に適用した際に、試料への浸透性が良好となり、試料のバルク形状および微細構造の収縮等の変形が小さくなる。
【００５２】
アルキルスルホン酸イオンとしては、例えば、好ましくは炭素数1〜10、より好ましくは炭素数1〜5、さらに好ましくは炭素数1〜3の直鎖または分岐のアルキル基を有するものが挙げられる。具体的には、例えば、メタンスルホネートイオン（CH3SO3-）等が挙げられる。
【００５３】
アリールスルホン酸イオンとしては、例えば、好ましくは炭素数6〜14、より好ましくは炭素数6〜10のアリール基、具体的にはフェニル基、ナフチル基等を有するものが挙げられる。また、これらのアリール基に1または2以上の置換基を有する置換アリール基を有するものであってもよい。このような置換基としては、例えば、好ましくは炭素数1〜5、より好ましくは炭素数1〜3の直鎖または分岐のアルキル基等が挙げられる。
【００５４】
アリールスルホン酸イオンとしては、具体的には、例えば、p-トルエンスルホン酸イオン（CH3C6H4SO3-）等が挙げられる。
【００５５】
アルキル硫酸イオンとしては、例えば、好ましくは炭素数1〜10、より好ましくは炭素数1〜5、さらに好ましくは炭素数1〜3の直鎖または分岐のアルキル基を有するものが挙げられる。具体的には、例えば、メチル硫酸イオン（CH3SO4-）等が挙げられる。
【００５６】
なお、本発明では、常温（25℃）での水への溶解度が550g/100g water以上、あるいは10重量%水溶液での浸透圧が0.7 Osmol/kg以上のイオン液体として、アニオン構造を特に限定するものではなく、例えば、アニオンX-としてブロミドイオン（Br-）、クロリドイオン（Cl-）、ヨードイオン（I-）、ビス（オキサレート（2−）−O、O’）ホウ酸イオン（B（C2O4）2-）、ヘキサフルオロホウ酸イオン（PF6-）、トリフルオロスルホン酸イオン（CF3SO3-）、トリフルオロ炭酸イオン（CF3CO2-）、オクチルスルホン酸イオン（C8H16SO3-）、ビス（トリフルオロメチルスルホニル）イミドイオン（(CF3SO2)2N-）、ビス（パーフルオロエチルスルホニル）イミドイオン（(C2F5SO2)2N-）、2,2,2−トリフルオロ−N−（トリフルオロメタンスルホニル）アセトアミドイオン（(CF3SO2) (CF3CO)N-）、N−（トリフルオロメタンスルホニル）−ペンタフルオロエチルスルホンアミドイオン（(CF3SO2)(C2F5SO2)N-）、硝酸イオン（NO3-）、チオシアネートイオン（SCN-）、ジシアナミドイオン（N(CN)2-）、トリシアノメタニドイオン（C(CN)3-）等を用いてカチオン構造を式（I）と同一のものとしたイオン液体を用いることもできる。
【００５７】
本発明の電子顕微鏡による試料観察用の液状媒体は、上記に説明したようなイオン液体を必須成分とするものであり、好ましい態様の1つではこのイオン液体のみから液状媒体が構成されるが、必要に応じて溶媒に希釈してもよい。本発明に用いられるイオン液体は水溶性が高いため、極性溶媒系に溶解して任意の濃度に希釈し、あるいは任意の粘度に調製することが可能となる。そして観察試料の形状、材質や試料にイオン液体を存在させる方法に応じて、種々の溶媒の選択が可能となる。例えば、本発明に用いられるイオン液体は水溶性が高いため、高濃度から低濃度までの任意の濃度の水溶液とすることができ、高濃度でイオン液体を用いることで、乾燥の操作が容易となる。また、任意の濃度で水溶液等の液状媒体を調製できることは、その粘度を任意に調製できることも意味し、従って噴霧等の各種の導電性付与方法の選択が可能となる。
【００５８】
このような溶媒としては、例えば、水、アルコール、ＴＨＦ（テトラヒドロフラン）、メチルエチルケトン、アセトン、アセトニトリル等が挙げられる。本発明のイオン液体は、希釈溶媒に水を用いることができ、作業環境や安全面において好適である。
【００５９】
本発明の液状媒体を用いて電子顕微鏡による試料観察を行う際には、本発明の液状媒体を含浸、塗布、噴霧等の方法により試料に適用し、これにより液状媒体に含まれるイオン液体を試料に存在させ、このイオン液体を存在させた試料に電子を照射し、照射された電子による2次電子、反射電子または透過電子を検出して試料の像を得る。
【００６０】
本発明の液状媒体を試料に適用することにより、少なくとも試料観察面に、上記のイオン液体を存在させることで、試料観察面に導電性が付与される。試料に含浸、塗布または噴霧された液状媒体に含まれる上記のイオン液体は、真空下にあるSEM、TEM等の電子顕微鏡の試料室においても揮発性がきわめて低く、試料に残存するため、イオン液体の導電性により、絶縁性の試料を用いた場合であっても電子照射により生成した試料表面の電荷を放出して帯電を防止できる。
【００６１】
本発明の液状媒体が用いられる電子顕微鏡による観察試料としては、特に限定されず、各種のものを用いることができるが、特に、生体試料、中でも水含有生体試料を用いる場合に好適である。
【００６２】
生体試料としては、真核生物（動物、植物、菌類、原生生物）や真正細菌、古細菌等の少なくとも一部、特に細胞を含む組織等が挙げられる。上記のイオン液体は細胞膜への浸透性があり、水含有生体試料において細胞内部の水との置換が促進される。このような生体試料等への浸透性は、乾燥による試料の収縮変形を抑制し、そして試料表面における収縮痕にイオン液体が残留することによる正確な像の妨害も抑制する。
【００６３】
なお、本発明において「水含有生体試料」には、生体本来の姿において水を含んでいたものであって、電子顕微鏡での観察において試料の前処理に通常適用される程度の真空乾燥を行うと、水分が失われることにより明らかな形状変形が視認されるものが含まれる。例えば、生体本来の姿において水分含有による柔軟性、可撓性等を有しているものが少なくとも含まれる。このようなものの具体例としては、細胞が立体的、三次元的に配置した生物における組織、例えば、皮膚の表皮、毛、つめ、消化管内壁、毛細血管等の上皮組織、皮膚の真皮と腱、血液、軟骨等の結合組織、横紋筋、平滑筋等の筋組織、神経組織等に分類される動物組織、皮膚組織、機械組織、吸収組織、同化組織、通道組織、貯蔵組織、通気組織、分泌組織等に機能分類される植物組織等が挙げられる。
【００６４】
一方、乾燥による形状変形の影響が少ない水含有生体試料としては、例えば、無機質が主体である歯、骨等が挙げられる。このような生体試料においても、親水性が高い上記のイオン液体は親和性が良く好適である。
【００６５】
上記のような試料に本発明の液状媒体を適用し、乾燥すると、典型的には、試料は水分を含有していたときのような柔軟性を保持し、硬直化や収縮等の変形は非常に少なく、バルク形状および微細構造において処理前の形状が保持される。
【００６６】
なお、水溶性が高いイオン液体は水和物として存在する場合が多いが、試料の収縮変形を抑制する点からは、本発明の液状媒体としてのイオン液体を試料に適用する前に、イオン液体を減圧脱水し、無水の状態とすることが好ましい。
【００６７】
換言すれば試料の収縮変形を抑制し形状保持率をより高めるためには、試料にイオン液体を適用した状態において、イオン液体が水和物として含んでいた含水量と試料の含水量との総和に対するイオン液体の量の比率を高めることが望ましく、イオン液体の含水量を低減化し（特に無水とし）、あるいは、試料に適用するイオン液体の量を増やすことで、イオン液体の含水量と試料の含水量との総和に対するイオン液体の量の比率を高め、これにより形状保持率をより高めることができる。
【００６８】
また、高粘度のイオン液体や、あるいは室温〜100℃の融点を持つイオン液体は、試料に適用する際に、加熱してイオン液体を低粘度化もしくは溶融して用いてもよい。
【００６９】
本発明の液状媒体を試料に適用してイオン液体を試料に存在させる方法としては、特に限定されず、例えば、液状媒体中に試料を浸漬し含浸させたり、液状媒体を試料に直接塗布したり、滴下、散布、噴霧により掛ける等により行うことができる。試料表面に過剰のイオン液体が残留している場合は、吸着紙等の繊維ウェブで拭き取るようにしてもよい。
【００７０】
試料は、本発明の液状媒体を適用する前に、必要に応じて、観察に適したものとするための調製を行う。このような調製は、従来より各種の方法が知られている。例えば、観察しようとする部分が最初から露出している試料では、表面のコンタミネーションの除去等を行い、また試料内部に存在する微細構造を観察する場合には、洗浄、切断、割断、化学的溶解等の適宜の操作を行って観察しようとする部分を表面に露出させる。例えば、生体試料の観察面を露出させるために、凍結割断法等の従来より知られている方法を用いることができる。
【００７１】
以上のような方法により、本発明の液状媒体を試料に適用し、少なくとも試料観察面に上記のイオン液体を存在させた後、試料をSEM、TEM等の電子顕微鏡の試料室に設置する。例えば、SEMを用いる場合には、試料をSEM用試料台に接着する等により固定し、このSEM用試料台をSEMにセッティングする。
【００７２】
また、水含有生体試料またはその培養液をイオン液体と混合し、SEM用試料台に接着したSEM用導電性両面テープなどに塗布した後、必要に応じて、脱水し、試料表面に過剰のイオン液体が残留している場合は吸着紙等の繊維ウェブで拭き取ることにより観察試料を調製する方法、水含有生体試料またはその培養液をSEM用試料台に接着したSEM用導電性両面テープなどに塗布もしくは固定化し、さらにその上からイオン液体を塗布した後、必要に応じて、脱水し、試料表面に過剰のイオン液体が残留している場合は吸着紙等の繊維ウェブで拭き取ることにより観察試料を調製する方法を用いることができる。
【００７３】
その後、電子顕微鏡の試料室内を真空引きし、観察を行う。電子顕微鏡による観察は、例えば、従来より知られている方法に従って行うことができる。例えば、SEMによる観察の場合、試料表面からの2次電子もしくは反射電子を検出するため、観察する試料表面を電子線に対して露出しておくことが必要である。そして、分解能等を考慮して加速電圧、コンデンサーレンズ電流値、対物絞り径、作動距離等を設定した後、撮影を行い画像データを取得することで、試料の像を得ることができる。
【００７４】
SEMによる観察では、上記のイオン液体を用いることで、試料観察面の帯電を簡易な手段で防止することができ、生体試料等、特に水含有生体試料において、乾燥後も試料のバルク形状および微細構造を保持して収縮等の変形を抑制することができ、さらに収縮痕へのイオン液体の部分的な残留により試料本来の像が妨げられることを抑制し、試料の像を高精度に得ることができる。
【００７５】
また、TEMによる観察では、上記のイオン液体を用いることで、上記と同様に乾燥後も試料のバルク形状および微細構造を保持して収縮等の変形を抑制することができるとともに、水が多かった箇所はイオン液体と置換されることにより濃く観察され、水含有生体試料の像のコントラストを強化し、より濃くして明確に観察することができる。さらに、膜タンパク質等の生体表面の微細構造のような物質表面の微細構造が、上記の高親水性のイオン液体と非常に高い親和性を持つことから、バルクと同じ状態（湿潤状態）で観察することができる。
【実施例】
【００７６】
以下、実施例により本発明をさらに詳しく説明するが、本発明はこれらの実施例に何ら限定されるものではない。
＜合成例１＞
下記式で表される化合物１を合成した。
【００７７】
【化２】
2011137807.tif 000003
【００７８】
2-ブロモエタノール（167.26g、1.34mol）とN,N-ジメチルエチルアミン（293.70g、4.02mol）をアセトニトリル（850ml）中で、室温下、24時間反応させた。反応後、析出した固体をろ別し、洗浄を行うことにより白色固体（246.14g、1.24mol）を得た。
【００７９】
得られた白色固体（176.97g、0.89mol）とメタンスルホン酸（257.57g、2.68mol）を水（600ml）中で、室温下、24時間反応後、水を減圧留去し、黄色液体を得た。得られた液体を洗浄することにより、無色透明液体の化合物１を158.40g得た。
FT-IR（KBr）：3360cm-1：O-H伸縮振動  2923cm-1：C-H伸縮振動
1196cm-1：SO3- 伸縮振動
元素分析：実測値C:39.12%  H:9.09%  N:6.68%  S:15.57%
理論値C:39.41%  H:8.98%  N:6.57%  S:15.04%
＜合成例２＞
下記式で表される化合物２を合成した。
【００８０】
【化３】
2011137807.tif 000004
【００８１】
2-ブロモエタノール（40.00g、0.32mol）とN,N-ジエチルメチルアミン（83.70g、0.96mol）をアセトニトリル（400ml）中で、室温下、24時間反応させた。反応後、析出した固体をろ別し、洗浄を行うことにより白色固体（20.91g、0.10mol）を得た。
【００８２】
得られた白色固体（20.91g、0.10mol）とメタンスルホン酸（47.37g、0.49mol）を水（100ml）中で、室温下、24時間反応後、水を減圧留去し、黄色液体を得た。得られた液体を洗浄することにより、無色透明液体の化合物２を15.41g得た。
FT-IR（KBr）：3373cm-1：O-H伸縮振動、2960cm-1：C-H伸縮振動、1728cm-1：C=O伸縮振動、1192cm-1：SO3- 伸縮振動
元素分析：実測値C:42.10%  H:9.40%  N:6.04%  S:13.80%
理論値C:42.26%  H:9.31%  N:6.16%  S:14.11%
＜合成例３＞
下記式で表される化合物３を合成した。
【００８３】
【化４】
2011137807.tif 000005
【００８４】
3-ブロモプロピオン酸（150.00g、0.98mol）とN,N-ジメチルエチルアミン（358.39g、4.90mol）をアセトニトリル（750ml）中で、室温下、24時間反応させた。反応後、析出した固体をろ別し、洗浄を行うことにより白色固体（204.76g、0.68mol）を得た。
【００８５】
得られた白色固体（150.00g、0.50mol）とメタンスルホン酸（240.88g、2.50mol）を水（500ml）中で、室温下、24時間反応後、水を減圧留去し、黄色液体を得た。得られた液体を洗浄することにより、無色透明液体の化合物３を85.60g得た。
FT-IR（KBr）：2960cm-1：C-H伸縮振動  1728cm-1：C=O伸縮振動
1192cm-1：SO3- 伸縮振動
元素分析：実測値C:39.51%  H:8.12%  N:5.76%  S:12.88%
理論値C:39.82%  H:7.94%  N:5.81%  S:13.29%
＜合成例４＞
下記式で表される化合物４を合成した。
【００８６】
【化５】
2011137807.tif 000006
【００８７】
3-ブロモプロピオン酸（100.00g、0.65mol）とトリエタノールアミン（487.64g、3.27mol）をアセトニトリル（500ml）中で、室温下、24時間反応させた。反応後、析出した固体をろ別し、洗浄を行うことにより白色固体（229.04g、0.51mol）を得た。
【００８８】
得られた白色固体（213.19g、0.47mol）とメタンスルホン酸（226.98g、2.36mol）を水（500ml）中で、室温下、24時間反応後、水を減圧留去し、黄色液体を得た。得られた液体を洗浄することにより、無色透明液体の化合物４を85.60g得た。
FT-IR（KBr）：3314cm-1：O-H伸縮振動  2937cm-1：C-H伸縮振動
1732cm-1：C-O伸縮振動   1198cm-1：C=O伸縮振動
元素分析：実測値C:37.77%  H:8.39%  N:4.28%  S:9.50%
理論値C:37.49%  H:8.18%  N:4.37%  S:10.00%
＜実施例１〜５、比較例１〜３＞
実施例１では、合成例１のイオン液体（化合物１）を用いた。まず、このイオン液体の水への溶解度を測定した。TG/DTAで測定した含水率を踏まえ、スクリュー管に所定の濃度となるように、イオン液体および水を仕込み、その後、25℃で30分間攪拌した後、10分間静置し、溶解性を目視で確認し、25℃での水100gに溶解するイオン液体量(g)を溶解度(g/100g water)とした。
【００８９】
また、このイオン液体の浸透圧を測定した。具体的には、TG/DTAより測定した含水率を考慮して所定の濃度（5重量%、10重量%）に調製した水溶液サンプルの浸透圧を、オズモメーター（浸透圧計：OSMOMAT 030−D GONOTEC社（ドイツ）製）で測定した。
【００９０】
次に、SEM観察用の生体試料として市販の乾燥ワカメを水で戻し、10mm角に切断したワカメを用意し、合成例１のイオン液体（化合物１）中に2時間含浸した。その後、真空中で30分間減圧し、乾燥した。また、別途にSEM観察用の生体試料としてほうれん草の茎を用意し、合成例１のイオン液体中に2時間含浸した。その後、真空中で30分間減圧し、乾燥した。
【００９１】
なお、上記の操作において、水で戻したワカメの重量（Ａ）および含浸、乾燥後のワカメの重量（Ｂ）を測定することにより、残存重量（％：Ｂ／Ａ×１００）を測定した。
【００９２】
実施例２ではイオン液体として合成例２のイオン液体（化合物２）を、実施例３ではイオン液体として合成例３のイオン液体（化合物３）を、実施例４ではイオン液体として次式：
【００９３】
【化６】
2011137807.tif 000007
【００９４】
で表される化合物５（関東化学（株）製）を、実施例５ではイオン液体として合成例４のイオン液体（化合物４）をそれぞれ用い、それ以外は実施例１と同様にして溶解度、浸透圧を測定した。
【００９５】
比較例１では、イオン液体として親水性のテトラフルオロホウ酸1-ブチル-3-メチルイミダゾリウムを用い、また比較例２では、イオン液体として疎水性の1-ブチル-3-メチルイミダゾリウム ビス（トリフルオロメタンスルホニル）イミドを用いて、それ以外は実施例１と同様にして、イオン液体の水への溶解度を測定し、また、これとは別途に試料のワカメとほうれん草の茎に含浸し、その後真空中で乾燥した。比較例１についてはイオン液体の浸透圧も実施例１と同様にして測定した。
【００９６】
また、実施例３（合成例３のイオン液体（化合物３））、実施例５（合成例４のイオン液体（化合物４））、比較例１（テトラフルオロホウ酸1-ブチル-3-メチルイミダゾリウム）、比較例２（1-ブチル-3-メチルイミダゾリウム ビス（トリフルオロメタンスルホニル）イミド）については、それぞれを実施例１と同様にして残存重量を測定した。また、比較例３では、水で戻したワカメをイオン液体に含浸せず、真空中で30分間減圧し、乾燥して残存重量を測定した。
【００９７】
実施例１〜５、比較例１、２のイオン液体の水への溶解度の測定結果を表１に示す。なお、表１において○は目視において全て溶解したことを示し、×は目視において溶解していないことを示す。
【００９８】
【表１】
2011137807.tif 000008
【００９９】
このように、実施例１〜５のイオン液体は水への溶解度がいずれも900g/100g water以上と高く、一方、比較例１のイオン液体は550g/100g water未満、比較例２のイオン液体は10g/100g water未満であった。
【０１００】
実施例１〜５および比較例１のイオン液体の浸透圧の測定結果を表２に示す。
【０１０１】
【表２】
2011137807.tif 000009
【０１０２】
このように、実施例１〜５のイオン液体は浸透圧が、10重量%水溶液で0.7 Osmol/kg以上と高く、水酸基（実施例１、２）、カルボキシル基（実施例３）、メトキシ基（実施例４）の順に増加傾向を示した。一方、比較例１のイオン液体の浸透圧は0.7 Osmol/kg未満であった。濃度を10重量%から5重量%に変更して同様の測定を行ったが、これらの実施例１〜５および比較例１のイオン液体の浸透圧は定量的な大小傾向は概ね同一であった。
【０１０３】
なお、浸透圧は水溶性と相関があり、浸透圧が高いことは、多くの水と良好に置換し、後述するように形状保持し易いことを示している。
【０１０４】
実施例１〜５、比較例１、２においてイオン液体を含浸、乾燥後の試料を観察した結果を図１に示す。図１は試料のワカメ（左の写真）とほうれん草の茎（右の写真）の全体を撮影したものである。実施例１〜５では、試料はイオン液体による処理前の形状を保持した。また、水分を含有していたときのような質感を有しており、収縮も非常に少なかった。イオン液体による処理前と乾燥後のそれぞれの試料の平面方向の長さの比として試料の形状保持率を求めたところ、ワカメとほうれん草の茎の両方の場合で実施例1〜５では70〜90%であった。
【０１０５】
特に、合成例１（化合物１）の水和物を３時間減圧脱水し、無水の状態でワカメを処理（含浸、減圧乾燥）した場合、形状保持率は90％を超えた（91％）。
【０１０６】
一方、比較例１、２では、実施例１〜５の場合とは異なり、試料のワカメは、イオン液体を含浸した後から、水分を含有していたときのような質感が失われて硬直化し、そして大きく収縮してイオン液体による処理前の平面形状から波打ち状の形状に収縮変形した。減圧乾燥後も同様に、質感が失われ、波打ち状の形状に収縮変形した。試料のほうれん草の茎の場合も同様に、乾燥後に大きな収縮変形が観察された。これらの試料の形状保持率を求めたところ、ワカメとほうれん草の茎の両方の場合で比較例１では50〜60%、比較例２では20〜30%であった。
【０１０７】
このように、実施例１〜５は、SEM観察用に従来検討されている親水性のイオン液体の比較例１に比べても試料の形状保持において大幅に優れていた。
【０１０８】
また、上記の結果は形状保持とイオン液体の水への溶解度や浸透圧との相関を示した。後述の実施例等においても同様であった。
【０１０９】
また、図１には実施例１、３、５、比較例１〜３において残存重量を測定した結果を併せて示している。比較例１、２の残存重量は、ワカメをイオン液体に含浸していない比較例３と同等の16〜17％であり、テトラフルオロホウ酸1-ブチル-3-メチルイミダゾリウム、および1-ブチル-3-メチルイミダゾリウム ビス（トリフルオロメタンスルホニル）イミドはワカメ細胞内の水と置換していないことを示している。これに対し、実施例１、３、５のイオン液体（化合物１、３、４）は残存重量が44〜46％であり、ワカメ内の水分は実施例１、３、５のイオン液体と置換していることを示している。従って、本発明の構造、物性を持つイオン液体は細胞内の水分と置換し、これにより観察試料の形状保持をしていることを示唆した。
【０１１０】
また、図示はしないが、試料のほうれん草の茎をイオン液体中に含浸し、試料の断面を光学顕微鏡で観察したところ、化合物１〜５では試料はイオン液体による処理前の組織構造を保持し、表皮や、内部の維管束組織とそのまわりの基本組織が観察された。一方、イオン液体としてテトラフルオロホウ酸1-ブチル-3-メチルイミダゾリウム、あるいは1-ブチル-3-メチルイミダゾリウム ビス（トリフルオロメタンスルホニル）イミドを用いた場合には、化合物１〜５の場合とは異なり、イオン液体による処理前の組織構造は収縮によりほとんど観察することができなかった。
＜実施例６〜１０、比較例４＞
実施例６では、実施例１と同様にして、試料のワカメを合成例１のイオン液体（化合物１）中に含浸し、SEM観察用の試料を得た。
【０１１１】
実施例７では、実施例２と同様にして、試料のワカメを合成例２のイオン液体中に含浸し、SEM観察用の試料を得た。
【０１１２】
実施例８では、実施例３と同様にして、試料のワカメを合成例３のイオン液体中に含浸し、SEM観察用の試料を得た。
【０１１３】
実施例９では、実施例４と同様にして、試料のワカメを化合物５のイオン液体中に含浸し、SEM観察用の試料を得た。
【０１１４】
実施例１０では、実施例５と同様にして、試料のワカメを合成例４のイオン液体中に含浸し、SEM観察用の試料を得た。
【０１１５】
比較例４では、比較例１と同様にして、試料のワカメをイオン液体のテトラフルオロホウ酸1-ブチル-3-メチルイミダゾリウム中に含浸し、SEM観察用の試料を得た。
【０１１６】
これらの試料をSEM（（株）日立ハイテクノロジーズ、TM-1000）の試料室に設置し、試料室を真空引きし、撮影を行い試料の像を得た。
【０１１７】
図２はそのSEM写真である（600倍）。実施例６〜１０では、ワカメの微細構造を高精度に観察することができ、そして微細構造においてもイオン液体の処理によると考えられる変形は小さく、イオン液体が均一に浸透し、イオン液体の残留による像のムラも大幅に抑制されていた。
【０１１８】
一方、比較例４では、実施例６〜１０の場合とは異なり、試料表面における多くの収縮した痕にイオン液体が過剰に残留したことによると考えられる黒い部分が現れ、この黒い帯状のシワ模様が像の大部分を占めるようになり、イオン液体の処理による収縮変形が激しいことが推測されるとともに、試料の微細構造の正確な像を妨げた。
【０１１９】
なお、図示はしないが、イオン液体として1-ブチル-3-メチルイミダゾリウム ビス（トリフルオロメタンスルホニル）イミドを用いた場合には、図２の実施例６〜１０において明確に視認される微細凹凸状の表面の組織構造が収縮により大きく崩れて、実施例６〜１０に比べて明確さが大幅に失われていた。
【０１２０】
このように、実施例６〜１０は収縮が少なく、SEM観察用に従来検討されている親水性のイオン液体を用いた比較例４に比べて試料の形状保持において大幅に優れていた。
＜実施例１１、比較例５＞
実施例１１では、実施例１と同様にして、試料のほうれん草の茎を合成例１のイオン液体（化合物１）中に含浸し、SEM観察用の試料を得た。
【０１２１】
比較例５では、参照としてイオン液体による処理を行わなかった試料の断面を観察した。
【０１２２】
これらの試料について実施例６〜１０と同様にしてSEM撮影を行い試料の断面の像を得た。図３はそのSEM写真である（30倍）。このように実施例１１ではほうれん草の茎の微細な組織構造を高精度に観察することができ、そして微細構造においてもイオン液体の処理によると考えられる変形は小さかった。
【０１２３】
一方、参照としてイオン液体による処理を行わなかった試料の断面を観察した比較例５では、乾燥により大きく収縮変形し処理前の形状がほとんど維持されていないことが分かる。
＜実施例１２〜１５、比較例６＞
実施例１２では、実施例６と同様にして、試料のワカメを合成例１のイオン液体中に含浸し、SEM観察用の試料を得た。
【０１２４】
実施例１３では、実施例８と同様にして、試料のワカメを合成例３のイオン液体中に含浸し、SEM観察用の試料を得た。
【０１２５】
実施例１４では、実施例９と同様にして、試料のワカメを化合物５のイオン液体中に含浸し、SEM観察用の試料を得た。
【０１２６】
実施例１５では、実施例１０と同様にして、試料のワカメを合成例４のイオン液体中に含浸し、SEM観察用の試料を得た。
【０１２７】
比較例６では、比較例４と同様にして、試料のワカメをイオン液体のテトラフルオロホウ酸1-ブチル-3-メチルイミダゾリウムに含浸し、SEM観察用の試料を得た。
【０１２８】
これらの試料をSEM（日本電子（株）製、機種名JSM-6500F）の試料室に設置し、試料室を真空引きし、撮影を行い試料の像を得た。
【０１２９】
図４はそのSEM写真である（500倍）。実施例１２〜１５では、ワカメの微細構造を高精度に観察することができ、そして微細構造においてもイオン液体の処理によると考えられる変形は小さく、イオン液体が均一に浸透し、イオン液体の残留による像のムラもほとんど見られなかった。
【０１３０】
一方、比較例６では、実施例１２〜１５の場合とは異なり、試料表面における多くの収縮した痕にイオン液体が過剰に残留したことによると考えられる黒い部分が現れ、この黒い帯状のシワ模様が像の大部分を占めるようになり、イオン液体の処理による収縮変形が激しいことが推測されるとともに、試料の微細構造の正確な像を妨げた。
【０１３１】
このように、実施例１２〜１５ではイオン液体により試料観察面の帯電を防止してワカメの微細構造を高精度に観察することができ、さらに収縮による変形も少なく、SEM観察用に従来検討されている親水性のイオン液体を用いた比較例６に比べて試料の形状保持において大幅に優れていた。
＜実施例１６＞
実施例１６では、絶縁性のSEM観察用の試料として綿布を用意し、合成例１のイオン液体（化合物１）を水に溶解した10重量％イオン液体水溶液を試料に噴霧した。その後、ドライヤーで乾燥して水分を除去し、SEM観察用の試料を得た。
【０１３２】
この試料をSEM（S-510、（株）日立製作所）の試料室に設置し、試料室を真空引きし、撮影を行い試料の像を得た。
【０１３３】
図５はそのSEM写真である（200倍、800倍）。このように実施例１６では、絶縁性である綿布について、イオン液体水溶液を試料に噴霧し、試料観察面の帯電を防止して綿布の微細構造を高精度に観察することができた。すなわち、生体試料以外の絶縁体試料にイオン液体を存在させる方法として、イオン液体を溶媒により希釈した液状媒体を用いて噴霧する方法を用いた場合にも、導電性付与が良好にできることが示された。
＜実施例１７、比較例７＞
実施例１７では、生体試料として毛髪を用意し、合成例２のイオン液体（化合物２）の1mg/ｍＬ水溶液に30秒含浸後、キムワイプで過剰なイオン液体を拭き取り、SEM観察用の試料を得た。
【０１３４】
比較例７では、参照としてイオン液体による処理を行わなかった試料を用意した。
【０１３５】
これらの試料をSEM（（株）日立ハイテクノロジーズ、TM-1000）の試料室に設置し、試料室を真空引きし、撮影を行い試料の像を得た。図６はそのSEM写真である（1000倍）。イオン液体で処理した実施例１７は、未処理の比較例７と比べて帯電による白く不明瞭な箇所もなく、鮮明な像が得られた。
＜実施例１８、比較例８＞
実施例１８では、生体試料としてマウスの骨を用意し、合成例２のイオン液体（化合物２）の10mg/ｍＬ水溶液に30秒含浸後、キムワイプで過剰なイオン液体を拭き取り、SEM観察用の試料を得た。
【０１３６】
比較例８では、参照としてイオン液体による処理を行わなかった試料を用意した。
【０１３７】
これらの試料をSEM（日本電子（株）JSM-6500Ｆ）の試料室に設置し、試料室を真空引きし、撮影を行い試料の像を得た。図７はそのSEM写真である（20000倍）。イオン液体で処理した実施例１８は、未処理の比較例８と比べて骨表面の細孔が明確に観察された。
＜実施例１９、比較例９＞
実施例１９では、生体試料として赤血球を用意し、ガラス板に固定した赤血球に合成例４のイオン液体（化合物４）を塗布し、キムワイプで過剰なイオン液体を吸い取り、SEM観察用の試料を得た。
【０１３８】
比較例９では、参照としてイオン液体による処理を行わなかった試料を用意した。
【０１３９】
これらの試料をSEM（カールツァイス社 URTRA plus）を用いて観察した。図８はそのSEM写真である（実施例１９：110000倍、比較例９：4000倍）。未処理の比較例９は、真空下の観察時に、赤血球内の水分が蒸発、破裂した。これに対し、イオン液体で処理した実施例１９は、赤血球内の水分とイオン液体が良好に置換し、破裂せず、ある程度の形状を維持することが可能であることが確認された。
＜実施例２０＞
実施例２０では、生体試料としてミュータンス菌を用意し、ガラス板に固定したミュータンス菌を合成例２のイオン液体（化合物２）に30秒含浸後、キムワイプで過剰なイオン液体を拭き取り、SEM観察用の試料を得た。
【０１４０】
この試料をSEM（日本電子（株）JSM-6701F）の試料室に設置し、試料室を真空引きし、撮影を行い試料の像を得た。図９はそのSEM写真である（15000倍）。ミュータンス菌の形状を維持し、良好に観察することができた。
＜実施例２１＞
実施例２１では、生体試料としてブイヨン培地で培養したミュータンス菌培養液を用意した。ミュータンス菌培養液と合成例２のイオン液体（化合物２）を混合し、SEM用試料台に接着したSEM導電性テープ（カーボン両面テープ）に薄く塗布した。塗布後、減圧脱水して、キムワイプで過剰なイオン液体を拭き取り、SEM観察用の試料を得た。
【０１４１】
この試料をSEM（（株）日立ハイテクノロジーズ、TM-3000）の試料室に設置し、試料室を真空引きし、撮影を行い試料の像を得た。図１０はそのSEM写真である（5000倍）。ミュータンス菌の形状を維持し、良好に観察することができた。また、図示しないが、テトラフルオロホウ酸1-ブチル-3-メチルイミダゾリウムを用いた場合、イオン液体を用いず、培養液のみを塗布、脱水した場合には、帯電したり、形状維持できず、良好に観察することはできなかった。
【図１】
2011137807.tif 000012
【図２】
2011137807.tif 000013
【図３】
2011137807.tif 000014
【図４】
2011137807.tif 000015
【図５】
2011137807.tif 000016
【図６】
2011137807.tif 000017
【図７】
2011137807.tif 000018
【図８】
2011137807.tif 000019
【図９】
2011137807.tif 000020
【図１０】
2011137807.tif 000021